(57)【要約】本開示の特徴は、ユーザ機器（ＵＥ）が、同期源を識別するために、１つ以上の他のＵＥからのサイドリンク同期信号（ＳＬＳＳ）を使用して、複数の搬送波のタイミング同期を自律的に（例えば、ネットワーク制御なく）管理することを可能にする技術を実現する。周波数搬送波のセットからの周波数搬送波に関係する同期源は、１つ以上のＳＬＳＳ同期源選択技術またはルールにしたがって選択してもよい。例えば、説明する解決法は、ＵＥがＶ２Ｘ搬送波アグリゲーション（ＣＡ）を自律的に実行することを可能にするように利用してもよい。いくつかの例では、サーチされることになる同期搬送波は、ＵＥのＳＬＳＳ能力（例えば、ＵＥの送信および受信のＳＬＳＳ能力）に基づいて決定してもよい。【選択図】図２
2021503804.tif 000002
【特許請求の範囲】
【請求項１】
ワイヤレス通信のための方法において、
第１のユーザ機器（ＵＥ）のために構成されている同期搬送波のセットを識別することと、
前記第１のＵＥにおいて、１つ以上の第２のＵＥとの通信を確立するのに使用される１つ以上の周波数搬送波を識別することと、
前記第１のＵＥと前記１つ以上の第２のＵＥとの間の通信を確立するのに使用される前記１つ以上の周波数搬送波の識別に基づいて、前記同期搬送波のセットから同期搬送波のサブセットを決定することと、
前記同期搬送波のサブセット中の各同期搬送波に関係する同期源を決定することと、
前記同期源により提供されるタイミングおよび周波数の同期に基づいて、前記１つ以上の周波数搬送波を通しての前記第１のＵＥと前記１つ以上の第２のＵＥとの間の通信を確立することとを含む方法。
【請求項２】
前記同期搬送波のサブセット中の各同期搬送波に対する最高優先度の同期源を決定することと、
前記最高優先度の同期源を有する前記周波数搬送波として、前記同期搬送波を選択することとをさらに含む請求項１記載の方法。
【請求項３】
前記１つ以上の周波数搬送波が、複数の搬送波グループに区分され、
前記同期源が、前記複数の搬送波グループのうちの１つ以上に対してタイミングおよび周波数の基準を提供する請求項１記載の方法。
【請求項４】
前記同期搬送波のサブセット中の同期搬送波のそれぞれに関係する同期源を決定することは、
グローバルナビゲーション衛星システム（ＧＮＳＳ）、基地局、または、前記同期搬送波上で同期信号（ＳＬＳＳ）を送信する第２のＵＥのうちの１つとして、前記同期源を識別することと、
前記同期搬送波に対する優先度またはコンフィギュレーションのうちの１つまたは両方に基づいて、前記同期源を選択することとをさらに含む請求項１記載の方法。
【請求項５】
前記同期搬送波のサブセット中の同期搬送波のそれぞれに関係する同期源を決定することは、
前記同期搬送波のセット内の各同期搬送波に関係する優先度を識別することと、
前記同期搬送波が、前記同期搬送波のセット内の最高優先度の搬送波であることを決定することと、
前記同期搬送波に対するコンフィギュレーションに基づいて、前記同期源を決定することとをさらに含む請求項１記載の方法。
【請求項６】
前記同期搬送波のセット内の各同期搬送波に関係する優先度は、無線リソース制御（ＲＲＣ）コンフィギュレーションを使用して、前記ＵＥ中に構成される請求項５記載の方法。
【請求項７】
前記第１のＵＥのサイドリンク同期能力は、前記第１のＵＥが複数の搬送波からの第１の周波数搬送波上でサイドライン同期信号（ＳＬＳＳ）を受信できるようにすることを決定することと、
前記第１のＵＥを同期サーチ搬送波に同調させることとをさらに含み、
前記サイドリンク同期能力に基づいて、前記第１の周波数搬送波が、前記同期サーチ搬送波として設定される請求項１記載の方法。
【請求項８】
前記第１のＵＥのサイドリンク同期能力は、前記第１のＵＥが前記周波数搬送波のセットからの第１の周波数搬送波と第２の周波数搬送波上でサイドライン同期信号（ＳＬＳＳ）を受信し、前記第２の周波数搬送波上で前記ＳＬＳＳを送信できるようにすることを決定することと、
前記第１のＵＥを同期サーチ搬送波に同調させることとをさらに含み、
前記サイドリンク同期能力に基づいて、前記第２の周波数搬送波が、前記同期サーチ搬送波として設定される請求項１記載の方法。
【請求項９】
ワイヤレス通信のためのユーザ機器（ＵＥ）において、
プロセッサと、
前記プロセッサと通信するメモリと具備し、
前記メモリは、前記プロセッサによって、
第１のＵＥのために構成されている同期搬送波のセットを識別し、
前記第１のＵＥにおいて、１つ以上の第２のＵＥとの通信を確立するのに使用される１つ以上の周波数搬送波を識別し、
前記第１のＵＥと前記１つ以上の第２のＵＥとの間の通信を確立するのに使用される前記１つ以上の周波数搬送波の識別に基づいて、前記同期搬送波のセットから同期搬送波のサブセットを決定し、
前記同期搬送波のサブセット中の各同期搬送波に関係する同期源を決定し、
前記同期源により提供されるタイミングおよび周波数の同期に基づいて、前記周波数搬送波のうちの１つ以上を通しての前記第１のＵＥと前記１つ以上の第２のＵＥとの間の通信を確立するように、実行可能な命令を含むＵＥ。
【請求項１０】
前記命令は、前記プロセッサによって、
前記同期搬送波のサブセット中の各同期搬送波に対する最高優先度の同期源を決定し、
前記最高優先度の同期源を有する前記周波数搬送波として、前記同期搬送波を選択するように、さらに実行可能である請求項９記載のＵＥ。
【請求項１１】
前記１つ以上の周波数搬送波が、複数の搬送波グループに区分され、
前記同期源が、前記複数の搬送波グループのうちの１つ以上に対してタイミングおよび周波数の基準を提供する請求項９記載のＵＥ。
【請求項１２】
前記同期搬送波のサブセット中の同期搬送波のそれぞれに関係する同期源を決定する命令は、前記プロセッサによって、
グローバルナビゲーション衛星システム（ＧＮＳＳ）、基地局、または、前記同期搬送波上で同期信号（ＳＬＳＳ）を送信する第２のＵＥのうちの１つとして、前記同期源を識別し、
前記同期搬送波に対する優先度またはコンフィギュレーションのうちの１つまたは両方に基づいて、前記同期源を選択するように、さらに実行可能である請求項９記載のＵＥ。
【請求項１３】
前記同期搬送波のサブセット中の同期搬送波のそれぞれに関係する同期源を決定する命令は、前記プロセッサによって、
前記同期搬送波のセット内の各同期搬送波に関係する優先度を識別し、
前記同期搬送波が、前記同期搬送波のセット内の最高優先度の搬送波であることを決定し、
前記同期搬送波に対するコンフィギュレーションに基づいて、前記同期源を決定するように、さらに実行可能である請求項９記載のＵＥ。
【請求項１４】
前記同期搬送波のセット内の各同期搬送波に関係する優先度は、無線リソース制御（ＲＲＣ）コンフィギュレーションを使用して、前記ＵＥ中に構成される請求項１３記載のＵＥ。
【請求項１５】
前記命令は、前記プロセッサによって、
前記第１のＵＥのサイドリンク同期能力は、前記第１のＵＥが複数の搬送波からの第１の周波数搬送波上でサイドライン同期信号（ＳＬＳＳ）を受信できるようにすることを決定し、
前記第１のＵＥを同期サーチ搬送波に同調させるように、さらに実行可能であり、
前記サイドリンク同期能力に基づいて、前記第１の周波数搬送波が、前記同期サーチ搬送波として設定される請求項９記載のＵＥ。
【請求項１６】
前記命令は、前記プロセッサによって、
前記第１のＵＥのサイドリンク同期能力は、前記第１のＵＥが前記周波数搬送波のセットからの第１の周波数搬送波と第２の周波数搬送波上でサイドライン同期信号（ＳＬＳＳ）を受信し、前記第２の周波数搬送波上で前記ＳＬＳＳを送信できるようにすることを決定し、
前記第１のＵＥを同期サーチ搬送波に同調させるように、さらに実行可能であり、
前記サイドリンク同期能力に基づいて、前記第２の周波数搬送波が、前記同期サーチ搬送波として設定される請求項９記載のＵＥ。
【請求項１７】
ワイヤレス通信のためのコンピュータ読取可能媒体において、
第１のユーザ機器（ＵＥ）のために構成されている同期搬送波のセットを識別するためのコードと、
前記第１のＵＥにおいて、１つ以上の第２のＵＥとの通信を確立するのに使用される１つ以上の周波数搬送波を識別するためのコードと、
前記第１のＵＥと前記１つ以上の第２のＵＥとの間の通信を確立するのに使用される前記１つ以上の周波数搬送波の識別に基づいて、前記同期搬送波のセットから同期搬送波のサブセットを決定するためのコードと、
前記同期搬送波のサブセット中の各同期搬送波に関係する同期源を決定するためのコードと、
前記同期源により提供されるタイミングおよび周波数の同期に基づいて、前記１つ以上の周波数搬送波を通しての前記第１のＵＥと前記１つ以上の第２のＵＥとの間の通信を確立するためのコードとを含むコンピュータ読取可能媒体。
【請求項１８】
前記同期搬送波のサブセット中の各同期搬送波に対する最高優先度の同期源を決定するためのコードと、
前記最高優先度の同期源を有する前記周波数搬送波として、前記同期搬送波を選択するためのコードとをさらに含む請求項１７記載のコンピュータ読取可能媒体。
【請求項１９】
前記１つ以上の周波数搬送波が、複数の搬送波グループに区分され、
前記同期源が、前記複数の搬送波グループのうちの１つ以上に対してタイミングおよび周波数の基準を提供する請求項１７記載のコンピュータ読取可能媒体。
【請求項２０】
前記同期搬送波のサブセット中の同期搬送波のそれぞれに関係する同期源を決定するためのコードは、
グローバルナビゲーション衛星システム（ＧＮＳＳ）、基地局、または、前記同期搬送波上で同期信号（ＳＬＳＳ）を送信する第２のＵＥのうちの１つとして、前記同期源を識別するためのコードと、
前記同期搬送波に対する優先度またはコンフィギュレーションのうちの１つまたは両方に基づいて、前記同期源を選択するためのコードとをさらに含む請求項１７記載のコンピュータ読取可能媒体。
【請求項２１】
前記同期搬送波のサブセット中の同期搬送波のそれぞれに関係する同期源を決定するためのコードは、
前記同期搬送波のセット内の各同期搬送波に関係する優先度を識別するためのコードと、
前記同期搬送波が、前記同期搬送波のセット内の最高優先度の搬送波であることを決定するためのコードと、
前記同期搬送波に対するコンフィギュレーションに基づいて、前記同期源を決定するためのコードとをさらに含む請求項１７記載のコンピュータ読取可能媒体。
【請求項２２】
前記同期搬送波のセット内の各同期搬送波に関係する優先度は、無線リソース制御（ＲＲＣ）コンフィギュレーションを使用して、前記ＵＥ中に構成される請求項２１記載のコンピュータ読取可能媒体。
【請求項２３】
前記第１のＵＥのサイドリンク同期能力は、前記第１のＵＥが複数の搬送波からの第１の周波数搬送波上でサイドライン同期信号（ＳＬＳＳ）を受信できるようにすることを決定するためのコードと、
前記第１のＵＥを同期サーチ搬送波に同調させるためのコードとをさらに含み、
前記サイドリンク同期能力に基づいて、前記第１の周波数搬送波が、前記同期サーチ搬送波として設定される請求項１７記載のコンピュータ読取可能媒体。
【請求項２４】
前記第１のＵＥのサイドリンク同期能力は、前記第１のＵＥが前記周波数搬送波のセットからの第１の周波数搬送波と第２の周波数搬送波上でサイドライン同期信号（ＳＬＳＳ）を受信し、前記第２の周波数搬送波上で前記ＳＬＳＳを送信できるようにすることを決定するためのコードと、
前記第１のＵＥを同期サーチ搬送波に同調させるためのコードとをさらに含み、
前記サイドリンク同期能力に基づいて、前記第２の周波数搬送波が、前記同期サーチ搬送波として設定される請求項１７記載のコンピュータ読取可能媒体。
【請求項２５】
ワイヤレス通信のための装置において、
第１のユーザ機器（ＵＥ）のために構成されている同期搬送波のセットを識別する手段と、
前記第１のＵＥにおいて、１つ以上の第２のＵＥとの通信を確立するのに使用される１つ以上の周波数搬送波を識別する手段と、
前記第１のＵＥと前記１つ以上の第２のＵＥとの間の通信を確立するのに使用される前記１つ以上の周波数搬送波の識別に基づいて、前記同期搬送波のセットから同期搬送波のサブセットを決定する手段と、
前記同期搬送波のサブセット中の各同期搬送波に関係する同期源を決定する手段と、
前記同期源により提供されるタイミングおよび周波数の同期に基づいて、前記１つ以上の周波数搬送波を通しての前記第１のＵＥと前記１つ以上の第２のＵＥとの間の通信を確立する手段とを具備する装置。
【請求項２６】
前記同期搬送波のサブセット中の各同期搬送波に対する最高優先度の同期源を決定する手段と、
前記最高優先度の同期源を有する前記周波数搬送波として、前記同期搬送波を選択する手段とをさらに具備する請求項２５記載の装置。
【請求項２７】
前記１つ以上の周波数搬送波が、複数の搬送波グループに区分され、
前記同期源が、前記複数の搬送波グループのうちの１つ以上に対してタイミングおよび周波数の基準を提供する請求項２５記載の装置。
【請求項２８】
前記同期搬送波のサブセット中の同期搬送波のそれぞれに関係する同期源を決定する手段は、
グローバルナビゲーション衛星システム（ＧＮＳＳ）、基地局、または、前記同期搬送波上で同期信号（ＳＬＳＳ）を送信する第２のＵＥのうちの１つとして、前記同期源を識別する手段と、
前記同期搬送波に対する優先度またはコンフィギュレーションのうちの１つまたは両方に基づいて、前記同期源を選択する手段とをさらに備える請求項２５記載の装置。
【請求項２９】
前記同期搬送波のサブセット中の同期搬送波のそれぞれに関係する同期源を決定する手段は、
前記同期搬送波のセット内の各同期搬送波に関係する優先度を識別する手段と、
前記同期搬送波が、前記同期搬送波のセット内の最高優先度の搬送波であることを決定する手段と、
前記同期搬送波に対するコンフィギュレーションに基づいて、前記同期源を決定する手段とをさらに備える請求項２５記載の装置。
【請求項３０】
前記同期搬送波のセット内の各同期搬送波に関係する優先度は、無線リソース制御（ＲＲＣ）コンフィギュレーションを使用して、前記ＵＥ中に構成される請求項２９記載の装置。
【発明の詳細な説明】
【関連出願の相互参照】
【０００１】
［０００１］
特許に関する本出願は、２０１８年１０月１０日に出願され、「Ｖ２Ｘ搬送波アグリゲーションのための同期」と題された米国非仮出願番号第１６／１５６，８７４号、および、２０１７年１１月１７日に出願され、「Ｖ２Ｘ搬送波アグリゲーションのための同期」と題された米国仮出願シリアル番号第６２／５８８，０３６号の優先権を主張し、その全体が参照によってここに明示的に組み込まれている。
【背景】
【０００２】
［０００２］
本開示は、一般的に通信システムに関連し、より詳細には、ユーザ機器（ＵＥ）のためのビークルトゥーエニスイング（Ｖ２Ｘ）搬送波アグリゲーション（ＣＡ）を可能にするために複数の搬送波のタイミングを同期させることに関連する。
【０００３】
［０００３］
ワイヤレス通信システムは、電話、ビデオ、データ、メッセージング、および、ブロードキャストのようなさまざまな電気通信サービスを提供するために広く配備されている。典型的なワイヤレス通信システムは、利用可能なシステムリソースを共有することによって複数のユーザとの通信をサポートすることができる多元接続テクノロジーを用いているかもしれない。このような多元接続テクノロジーの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、および、時分割同期コード分割多元接続（ＴＤ−ＳＣＤＭＡ）システムを含んでいる。
【０００４】
［０００４］
これらの多元接続テクノロジーは、異なるワイヤレスデバイスが市区町村レベル、国レベル、地域レベル、さらにはグローバルレベルで通信することを可能にさせる共通のプロトコルを提供するために、さまざまな電気通信標準規格で採用されている。例示的な電気通信標準規格は、５Ｇの新たな無線（ＮＲ）である。５Ｇ  ＮＲは、待ち時間、信頼性、セキュリティ、（例えば、インターネットオブシングス（ＩｏＴ）を用いた）スケーラビリティ、および、他の要件に関係する新たな要件を満たすために、第３世代パートナーシッププロジェクト（３ＧＰＰ（登録商標））によって公表された連続移動体ブロードバンドエボリューションの一部である。５Ｇ  ＮＲのいくつかの態様は、４Ｇロングタームエボリューション（ＬＴＥ（登録商標））標準規格に基づいているかもしれない。５Ｇ  ＮＲテクノロジーにおけるさらなる改善の必要性が存在する。これらの改善はまた、これらのテクノロジーを用いる他の多元接続テクノロジーおよび電気通信標準規格に適用可能であってもよい。
【０００５】
［０００５］
改善のための１つのこのような必要性は、複数のＵＥ間の通信を確立するために用いられるかもしれない異なる搬送波間の時間同期の管理に関連する。ＣＡのような複数の搬送波動作に対して、従来のＵＥは、特にこのようなタイムラインが同期されていない場合、異なる搬送波に関係する異なるタイムラインを管理するための限られた能力（例えば、プロセッサ）しか有していない。したがって、ＬＴＥのような従来のシステムは、一般的に、ＵＥの代わりに異なるＣＡ搬送波のタイミングを管理するために、ネットワーク制御に依存する。しかしながら、ネットワーク制御への依存は、必ずしも実現可能ではない。実際、ＬＴＥまたは５Ｇ  ＮＲにおけるＶ２Ｘのような、いくつかのワイヤレスシステム通信シナリオでは、ＣＡ搬送波の管理に関するネットワーク制御がないかもしれない。このようなことから、複数の搬送波の時間同期の管理に関係するように、ＵＥは、何らかのネットワーク関与なく自律的に通信を管理することが期待されるかもしれない。したがって、ネットワーク制御に依存する従来のシステムは、このようなシナリオで機能するには不十分であるかもしれない。
【概要】
【０００６】
［０００６］
１つ以上の態様の基本的な理解を提供するために、このような態様の簡潔化された概要を以下に提示する。この概要は、すべての企図された態様の広範な概観ではなく、すべての態様の鍵または重要な要素を識別することも、任意のまたはすべての態様の範囲を描写することも意図していない。唯一の目的は、後に提示するより詳細な説明への前置きとして、簡略化された形態で１つ以上の態様のうちのいくつかの概念を提示することである。
【０００７】
［０００７］
本開示の特徴は、同期源を識別するために、１つ以上の他のＵＥからのサイドリンク同期信号（ＳＬＳＳ）を使用して、複数の搬送波のタイミング同期をＵＥが自律的に（例えば、ネットワーク制御なく）管理することを可能にする技術を実現することによって、上記で識別した問題を取り扱う。本開示の態様において、その目的のために、方法、コンピュータ読取可能媒体、および、装置をワイヤレス通信のために提供する。
【０００８】
［０００８］
１つの例において、ワイヤレス通信のための方法を開示する。方法は、第１のＵＥのために構成されている同期搬送波のセットを識別することを含んでいてもよい。方法は、第１のＵＥにおいて、１つ以上の第２のＵＥとの通信を確立するのに使用される１つ以上の周波数搬送波を識別することをさらに含んでいてもよい。方法は、第１のＵＥと１つ以上の第２のＵＥとの間の通信を確立するのに使用される１つ以上の周波数搬送波の識別に基づいて、同期搬送波のセットから同期搬送波のサブセットを決定することをさらに含んでいてもよい。方法は、同期搬送波のサブセット中の各同期搬送波に関係する同期源を決定することをさらに含んでいてもよい。方法は、同期源により提供されるタイミングおよび周波数の同期に基づいて、１つ以上の周波数搬送波を通しての第１のＵＥと１つ以上の第２のＵＥとの間の通信を確立することをさらに含んでいてもよい。
【０００９】
［０００９］
別の例において、ワイヤレス通信のためのＵＥを開示する。ＵＥは、プロセッサと、プロセッサと通信するメモリとを含んでいてもよい。メモリは、第１のＵＥのために構成されている同期搬送波のセットを識別するように、プロセッサによって実行可能な命令を含んでいてもよい。命令は、第１のＵＥにおいて、１つ以上の第２のＵＥとの通信を確立するのに使用される１つ以上の周波数搬送波を識別するように、プロセッサによってさらに実行可能であってもよい。ＵＥは、第１のＵＥと１つ以上の第２のＵＥとの間の通信を確立するのに使用される１つ以上の周波数搬送波の識別に基づいて、同期搬送波のセットから同期搬送波のサブセットを決定するように、プロセッサによって実行可能な命令をさらに含んでいてもよい。ＵＥは、同期搬送波のサブセット中の各同期搬送波に関係する同期源を決定するように、プロセッサによって実行可能な命令をさらに含んでいてもよい。ＵＥは、同期源により提供されるタイミングおよび周波数の同期に基づいて、１つ以上の周波数搬送波を通しての第１のＵＥと１つ以上の第２のＵＥとの間の通信を確立するように、プロセッサによって実行可能な命令をさらに含んでいてもよい。
【００１０】
［００１０］
別の例において、ワイヤレス通信のためのコンピュータ読取可能媒体を開示する。コンピュータ読取可能媒体は、第１のＵＥのために構成されている同期搬送波のセットを識別するためのコードを含んでいてもよい。コンピュータ読取可能媒体は、第１のＵＥにおいて、１つ以上の第２のＵＥとの通信を確立するのに使用される１つ以上の周波数搬送波を識別するためのコードをさらに含んでいてもよい。コンピュータ読取可能媒体は、第１のＵＥと１つ以上の第２のＵＥとの間の通信を確立するのに使用される１つ以上の周波数搬送波の識別に基づいて、同期搬送波のセットから同期搬送波のサブセットを決定するためのコードをさらに含んでいてもよい。コンピュータ読取可能媒体は、同期搬送波のサブセット中の各同期搬送波に関係する同期源を決定するためのコードをさらに含んでいてもよい。コンピュータ読取可能媒体は、同期源により提供されるタイミングおよび周波数の同期に基づいて、１つ以上の周波数搬送波を通しての第１のＵＥと１つ以上の第２のＵＥとの間の通信を確立するためのコードをさらに含んでいてもよい。
【００１１】
［００１１］
別の例において、ワイヤレス通信のための装置を開示する。装置は、第１のＵＥのために構成されている同期搬送波のセットを識別する手段を含んでいてもよい。装置は、第１のＵＥにおいて、１つ以上の第２のＵＥとの通信を確立するのに使用される１つ以上の周波数搬送波を識別する手段をさらに含んでいてもよい。装置は、第１のＵＥと１つ以上の第２のＵＥとの間の通信を確立するのに使用される１つ以上の周波数搬送波の識別に基づいて、同期搬送波のセットから同期搬送波のサブセットを決定する手段をさらに含んでいてもよい。装置は、同期搬送波のサブセット中の各同期搬送波に関係する同期源を決定する手段をさらに含んでいてもよい。装置は、同期源により提供されるタイミングおよび周波数の同期に基づいて、１つ以上の周波数搬送波を通しての第１のＵＥと１つ以上の第２のＵＥとの間の通信を確立する手段をさらに含んでいてもよい。
【００１２】
［００１２］
前述のおよび関連する目的の達成のために、１つ以上の態様は、以下に十分に説明され、特許請求の範囲において特に指摘される特徴を備えている。以下の説明および添付の図面は、１つ以上の態様のある例示的な特徴を詳細に述べる。しかしながら、これらの特徴は、さまざまな態様の原理を用いている、さまざまな方法のうちのいくつかだけを示しており、この説明は、このようなすべての態様、および、これらの均等物を含むように意図されている。
【図面の簡単な説明】
【００１３】
【図１】［００１３］  図１は、ワイヤレス通信システムおよびアクセスネットワークの例を図示するダイヤグラムである。
【図２】［００１４］  図２は、本開示の態様にしたがう、複数のＵＥ間のサイドリンク通信の例示的な概略ダイヤグラムである。
【図３】［００１５］  図３は、本開示の態様にしたがう、通信搬送波の第２のセット中で識別される同期源に基づいて、通信搬送波の第１のセット中でタイミングおよび周波数の同期を実行することをサポートする概略ダイヤグラムを示している。
【図４】［００１６］  図４は、ＵＥによって実現されるワイヤレス通信の方法のフローチャートである。
【詳細な説明】
【００１４】
［００１７］
上記で説明したように、従来のシステムは、一般的に、ＵＥの代わりに異なるＣＡ搬送波のタイミングを管理するために、ネットワーク制御に依存する。しかしながら、ネットワーク制御への依存は、必ずしも実現可能ではない。実際、ＬＴＥにまたは５Ｇ  ＮＲにおけるＶ２Ｘのようないくつかのワイヤレスシステム通信シナリオでは、ＣＡ搬送波の管理に関するネットワーク制御がないかもしれない。また、このようなシナリオでは、複数の異なるタイムラインを維持するＵＥ能力が制限されるかもしれない。例えば、ＵＥが維持することができる異なるタイムラインの最大数が２である場合、そのＵＥは、これらの搬送波が同期されていない場合、最大２つの搬送波までだけをサポートするように制限されるかもしれない。このような制限は、利用可能な帯域幅リソース（例えば、複数の追加の搬送波または搬送波アグリゲーション）を最大化するＵＥの能力を妨げるかもしれない。
【００１５】
［００１８］
本開示の特徴は、同期搬送波に関係する同期源（例えば、別のＵＥ）によって提供されるタイミングおよび周波数の同期に基づいて、周波数搬送波のセットを通してのＵＥと１つ以上の第２のＵＥとの間の通信をＵＥが確立することを可能にする技術を実現することによって、上記で識別した問題のうちの１つ以上の態様を解決できる。周波数搬送波のセットからの周波数搬送波に関係する同期源は、１つ以上のＳＬＳＳ同期源選択技術またはルールにしたがって選択してもよい。例えば、説明する解決法は、ＵＥがＶ２Ｘ  ＣＡを自律的に実行することを可能にするように利用してもよい。いくつかの例では、サーチされることになる同期搬送波は、ＵＥのＳＬＳＳ能力（例えば、ＵＥの送信および受信のＳＬＳＳ能力）に基づいて決定してもよい。このように、いくつかの態様では、１つ以上の他のＵＥによって送信されるＳＬＳＳ信号は、受信するＵＥが、１つ以上の他のＵＥとの通信のために複数の搬送波の同期を自律的に（例えば、ネットワーク関与なく、または、最小限のネットワーク関与で）管理することを可能にするために、同期源（例えば、タイミングおよび周波数の同期を提供できるＵＥ）に関係付けられていてもよい。その目的のために、集約された搬送波内の異なるタイミングの数を最小数に保つために、搬送波は、スペクトル中の連続のまたは分離された搬送波であるかもしれない、搬送波の異なるグループに区分（または分割）してもよい。搬送波の各グループ内で、搬送波のグループのタイミングおよび周波数を同期させるために、単一の同期源または基準を使用してもよい。
【００１６】
［００１９］
いくつかの態様では、Ｖ２Ｘ  ＣＡに対する同期基準は、グローバルナビゲーション衛星システム（ＧＮＳＳ）、基地局、または、ネットワーク中の他のＵＥによって送信されるＳＬＳＳ信号に基づいていてもよい。ＵＥがＧＮＳＳと通信している場合、ＵＥは、基地局から受信したタイミングおよび周波数のコンフィギュレーションに基づいて、ＣＡのためのタイミング同期を優先順位付けしてもよい。しかしながら、いくつかの事例では、ＵＥは、ＧＮＳＳとの通信を確立することができないかもしれず（例えば、ＵＥが地下にあり、ＧＮＳＳへの信号を有さないとき）、ＵＥは、同期基準に基づいて複数の搬送波のタイミングと周波数とを管理するために、同期源（「同期源」）を識別する必要があるかもしれない。いくつかの例では、同期源は、ＧＮＳＳと直接的にまたは間接的に通信するネットワーク上の別のＵＥ、または、ＳＬＳＳを受信することと送信することの両方が可能である（が、ＧＮＳＳとは同期していない）ＵＥであってもよい。これらの後者の２つの例のいずれにおいても、ＵＥは、他のＵＥの選択された搬送波中のＳＬＳＳ送信を使用して、他のＵＥによって送信される搬送波のグループ内でタイミングを同期させ、選択された搬送波は、同期源に基づいていてもよい。
【００１７】
［００２０］
同期源の識別は、ＵＥのＳＬＳＳ能力に基づいていてもよい。例えば、ＵＥがＳＬＳＳ受信（Ｒｘ）または送信（Ｔｘ）が可能である場合、受信および送信の両方のために構成されている搬送波のうちの１つである同期サーチ搬送波に同調して、ＵＥがグループ中の複数の搬送波のタイミングと周波数とを管理することを可能にするタイミング同期基準信号を提供するかもしれない同期源を識別するように、ＵＥは構成されていてもよい。代替的に、ＵＥがＳＬＳＳ  Ｒｘのみ可能である場合、同期サーチ搬送波は、ＵＥがＳＬＳＳを受信するように構成されている搬送波のうちの１つであってもよい。
【００１８】
［００２１］
いくつかの例では、ＵＥがＳＬＳＳを発見するために複数の搬送波のうちのどれ（例えば、同期サーチ搬送波）をサーチし、同期搬送波として選択すべきかの識別は、以下の技術のうちの１つ以上に基づいていてもよい。
【００１９】
［００２２］
第１に、ＵＥが１つの搬送波（例えば、アンカー同期搬送波）のみに対して同期源選択を実行することが可能である場合、その搬送波は、ネットワーク上のすべてのＵＥがＳＬＳＳ信号のために同じ搬送波をリスニングしてもよいように、予め構成されているか、または、ネットワーク構成されていてもよい。
【００２０】
［００２３］
第２に、ＵＥが所定の搬送波を受信するように構成されているかもしれないいくつかの状況では、チューンアウェイギャップおよび検出遅延要件は、アンカー同期搬送波において受信（および送信）するように構成されていないＵＥが、Ｒｘチェーンをアンカー搬送波に同調させて、ＳＬＳＳ検出を実行し、例えば、チューンアウェイギャップの間に周波数間ＳＬＳＳ選択／再選択手順をサポートして、より高い優先度の同期源を見つけることが可能なように規定されていてもよい。
【００２１】
［００２４］
第３に、ＵＥは、複数の搬送波中のすべての利用可能な搬送波を通してループして、予め構成されているか、または、ネットワークによって確立されているかのいずれかである同期源選択優先度ルールに基づいて、最高優先度の同期源を識別してもよい。いったん所定の搬送波において同期源が選択されると、ＵＥは、その搬送波内のより高い優先度の同期源を再選択し続けてもよい。同期源が失われ、利用可能なフォールバック同期源が存在しないときのみ、ＵＥは、すべての利用可能な搬送波を通して再びループする。
【００２２】
［００２５］
上記で識別されている第３のオプションに関して、同期源搬送波のための優先度は、確立されている優先順序で、利用可能な搬送波を通してＵＥがループできるように設定されていてもよい。このようなことから、より高い優先度を有する搬送波中で適切な同期源が発見される場合、ＵＥは、より低い優先度の搬送波を通してループする必要がないかもしれず、ＵＥがより低い優先度の搬送波を通してループしなければならないことを防ぎ、利用可能なリソースを節約できる。
【００２３】
［００２６］
添付の図面に関連して以下で述べる詳細な説明は、さまざまなコンフィギュレーションの説明として意図されており、ここで説明する概念を実施できる唯一のコンフィギュレーションを表すようには意図されていない。詳細な説明は、さまざまな概念の完全な理解を提供する目的で、特定の詳細を含んでいる。しかしながら、これらの概念がこれらの特定の詳細なく実施できることは当業者にとって明らかであろう。いくつかの例において、このような概念をあいまいにすることを避けるために、よく知られた構造およびコンポーネントを、ブロックダイヤグラム形態で示している。
【００２４】
［００２７］
図１は、ワイヤレス通信システムとアクセスネットワーク１００の例を図示するダイヤグラムである。（ワイヤレス広域ネットワーク（ＷＷＡＮ）とも呼ばれる）ワイヤレス通信システムは、基地局１０２と、ＵＥ１０４と、発展型パケットコア（ＥＰＣ）とを含んでいる。１つ以上のＵＥ１０４は、関係する同期源に基づいて、グループの通信搬送波のセット内のタイミングおよび周波数の同期をサポートするための１つ以上の方法４００（例えば、方法４００）を実行するための移動体通信コンポーネント３４０を含んでいてもよく、例えば、グループの搬送波のセット内の選択された搬送波は、１つ以上のＳＬＳＳ同期源選択技術またはルールにしたがって識別される。移動体通信管理コンポーネント３４０のコンポーネントおよびサブコンポーネントは、以下で図２を参照して詳細に説明する。したがって、いくつかのインプリメンテーションにおいて、車両１１０に関係するＵＥ１０４は、移動体通信コンポーネント３４０を動作させて、搬送波の１つ以上のグループ化されたセット内のタイミングを同期させて、それにより、ＵＥが自律的にＶ２Ｘ  ＣＡを実行することを可能にしてもよい。
【００２５】
［００２８］
基地局１０２は、マクロセル（高電力セルラ基地局）および／またはスモールセル（低電力セルラ基地局）を含んでいてもよい。マクロセルは基地局を含んでいる。スモールセルは、フェムトセル、ピコセル、および、マイクロセルを含んでいる。
【００２６】
［００２９］
（進化型ユニバーサル移動体電気通信システム（ＵＭＴＳ）地上無線アクセスネットワーク（Ｅ−ＵＴＲＡＮ）と総称する）基地局１０２は、バックホールリンク１３２（例えば、Ｓ１インターフェース）を通してＥＰＣ１６０とインターフェースしている。他の機能に加えて、基地局１０２は、以下の機能：ユーザデータの転送、無線チャネル暗号化および解読、完全性保護、ヘッダ圧縮、移動性制御機能（例えば、ハンドオーバー、デュアル接続性）、セル間干渉調整、接続セットアップおよび解放、負荷バランス、非アクセスストラタム（ＮＡＳ）メッセージングに対する分配、ＮＡＳノード選択、同期化、無線アクセスネットワーク（ＲＡＮ）共有、マルチメディアブロードキャストマルチキャストサービス（ＭＢＭＳ）、加入者および機器トレース、ＲＡＮ情報管理（ＲＩＭ）、ページング、ポジショニング、および、警告メッセージの配信、のうちの１つ以上を実行してもよい。基地局１０２は、直接的にまたは間接的に（例えば、ＥＰＣ１６０を通して）、バックホールリンク１３４（例えば、Ｘ２インターフェース）を通して互いに通信してもよい。バックホールリンク１３４は、ワイヤードまたはワイヤレスであってもよい。
【００２７】
［００３０］
基地局１０２は、ＵＥ１０４とワイヤレスに通信してもよい。基地局１０２のそれぞれは、それぞれの地理的カバレッジエリア１１０’のための通信カバレッジを提供してもよい。オーバーラップしている地理的カバレッジエリア１１０があってもよい。例えば、スモールセル１０２’は、１つ以上のマクロ基地局１０２のカバレッジエリア１１０とオーバーラップするカバレッジエリア１１０’を有していてもよい。スモールセルとマクロセルの両方を含むネットワークは、ヘテロジニアスネットワークとして知られているかもしれない。ヘテロジニアスネットワークは、ホーム進化型ノードＢ（ｅＮＢ）（ＨｅＮＢ）も含んでいてもよく、これは、閉じられた加入者グループ（ＣＳＧ）として知られている制限されたグループにサービスを提供してもよい。基地局１０２とＵＥ１０４との間の通信リンク１２０は、ＵＥ１０４から基地局１０２への（リバースリンクとも呼ばれる）アップリンク（ＵＬ）送信、および／または、基地局１０２からＵＥ１０４への（フォワードリンクとも呼ばれる）ダウンリンク（ＤＬ）送信を含んでいてもよい。通信リンク１２０は、空間多重化、ビーム形成、および／または、送信ダイバーシティを含む、複数入力複数出力（ＭＩＭＯ）アンテナテクノロジーを使用してもよい。通信リンクは、１つ以上の搬送波を通したものであってもよい。基地局１０２／ＵＥ１０４は、各方向への送信に対して使用される合計ＹｘＭＨｚ（ｘコンポーネント搬送波）までの搬送波アグリゲーションにおいて割り振られる搬送波毎に、ＹＭＨｚ（例えば、５、１０、１５、２０、１００ＭＨｚ）帯域幅までスペクトルを使用してもよい。搬送波は、互いに隣接していても、していなくてもよい。搬送波の割り振りは、ＤＬとＵＬに関して非対称であってもよい（例えば、ＵＬに対してよりもＤＬに対して、より多くのまたはより少ない搬送波が割り振られてもよい）。コンポーネント搬送波は、１次コンポーネント搬送波と１つ以上の２次コンポーネント搬送波とを含んでいてもよい。１次コンポーネント搬送波は、１次セル（Ｐセル）と呼ばれることがあり、２次コンポーネント搬送波は、２次セル（Ｓセル）と呼ばれることがある。
【００２８】
［００３１］
あるＵＥ１０４は、デバイス間（Ｄ２Ｄ）通信リンク１９２を使用して、互いに通信してもよい。Ｄ２Ｄ通信リンク１９２は、ＤＬ／ＵＬ  ＷＷＡＮスペクトルを使用してもよい。Ｄ２Ｄ通信リンク１９２は、物理サイドリンクブロードキャストチャネル（ＰＳＢＣＨ）、物理サイドリンクディスカバリチャネル（ＰＳＤＣＨ）、物理サイドリンク共有チャネル（ＰＳＳＣＨ）、および、物理サイドリンク制御チャネル（ＰＳＣＣＨ）のような、１つ以上のサイドリンクチャネルを使用してもよい。Ｄ２Ｄ通信は、例えば、ＦｌａｓｈＬｉｎＱ、ＷｉＭｅｄｉａ、Ｂｌｕｅｔｏｏｔｈ（登録商標）、ＺｉｇＢｅｅ、ＩＥＥＥ８０２．１１標準規格に基づくＷｉ−Ｆｉ、ＬＴＥ、または、ＮＲのような、さまざまなワイヤレスＤ２Ｄ通信システムを通してもよい。
【００２９】
［００３２］
ワイヤレス通信システムは、５ＧＨｚのライセンスされていない周波数スペクトル中で通信リンク１５４を介してＷｉ−Ｆｉ局（ＳＴＡ）１５２と通信するＷｉ−Ｆｉアクセスポイント（ＡＰ）１５０をさらに含んでいてもよい。ライセンスされていない周波数スペクトル中で通信するとき、ＳＴＡ１５２／ＡＰ１５０は、チャネルが利用可能であるか否かを決定するために、通信する前に、クリアチャネルアセスメント（ＣＣＡ）を実行してもよい。
【００３０】
［００３３］
スモールセル１０２’は、ライセンスされている、および／または、ライセンスされていない周波数スペクトル中で動作してもよい。ライセンスされていない周波数スペクトル中で動作するとき、スモールセル１０２’は、ＮＲを用いて、Ｗｉ−Ｆｉ  ＡＰ１５０によって使用されるのと同じ５ＧＨｚのライセンスされていない周波数スペクトルを使用してもよい。ライセンスされていない周波数スペクトル中でＮＲを用いるスモールセル１０２’は、アクセスネットワークへのカバレッジをブーストし、および／または、アクセスネットワークの容量を増加させてもよい。
【００３１】
［００３４］
ｇＮｏｄｅＢ（ｇＮＢ）１８０は、ＵＥ１０４との通信で、ミリ波（ｍｍＷ）周波数および／または近ｍｍＷ周波数で動作してもよい。ｇＮＢ１８０がｍｍＷまたは近ｍｍＷ周波数で動作するとき、ｇＮＢ１８０はｍｍＷ基地局と呼ばれることがある。極高周波（ＥＨＦ）は、電磁スペクトルにおけるＲＦの一部である。ＥＨＦは、３０ＧＨｚから３００ＧＨｚの範囲および１ミリメートルと１０ミリメートルとの間の波長を有する。帯域中の電波はミリ波と呼ばれることがある。近ｍｍＷは、１００ミリメートルの波長を有する３ＧＨｚの周波数まで下方に広がっているかもしれない。超高周波（ＳＨＦ）帯域は、３ＧＨｚと３０ＧＨｚとの間に広がり、センチメートル波とも呼ばれる。ｍｍＷ／近ｍｍＷ無線周波数帯域を使用する通信は、極めて高いパス損失および短距離を有する。ｍｍＷ基地局１８０は、ＵＥ１０４とのビーム形成１８４を利用して、極めて高いパス損失および短距離を補償してもよい。
【００３２】
［００３５］
ＥＰＣは、モビリティ管理エンティティ（ＭＭＥ）、他のＭＭＥ、サービングゲートウェイ、マルチメディアブロードキャストマルチキャストサービス（ＭＢＭＳ）ゲートウェイ、ブロードキャストマルチキャストサービスセンタ（ＢＭ−ＳＣ）、および、パケットデータネットワーク（ＰＤＮ）ゲートウェイを含んでいてもよい。ＭＭＥ１６２は、ホーム加入者サーバ（ＨＳＳ）１７４と通信してもよい。ＭＭＥ１６２は、ＵＥ１０４とＥＰＣ１６０との間のシグナリングを処理する制御ノードである。一般的に、ＭＭＥ１６２は、ベアラおよび接続管理を提供する。すべてのユーザインターネットプロトコル（ＩＰ）パケットは、サービングゲートウェイ１６６を通して転送され、サービングゲートウェイ１６６自体はＰＤＮゲートウェイ１７２に接続されている。ＰＤＮゲートウェイ１７２は、ＵＥ  ＩＰアドレス割り振りとともに、他の機能を提供する。ＰＤＮゲートウェイ１７２およびＢＭ−ＳＣ１７０は、ＩＰサービス１７６に接続されている。ＩＰサービス１７６は、インターネット、イントラネット、ＩＰマルチメディアサブシステム（ＩＭＳ）、ＰＳストリーミングサービス、および／または、他のＩＰサービスを含んでいてもよい。ＢＳ−ＳＣ１７０は、ＭＢＭＳユーザサービスプロビジョニングおよび配信のための機能を提供してもよい。ＢＭ−ＳＣ１７０は、コンテンツプロバイダＭＢＭＳ送信のためのエントリポイントとして機能してもよく、公衆地上移動体ネットワーク（ＰＬＭＮ）内のＭＢＭＳベアラサービスを認証および開始するために使用してもよく、ＭＢＭＳ送信をスケジューリングするために使用してもよい。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを分配するために使用してもよく、セッション管理（開始／停止）をするおよびｅＭＢＭＳ関連課金情報を集める役割を果たしてもよい。
【００３３】
［００３６］
基地局はまた、ｇＮＢ、ノードＢ、進化型ノードＢ（ｅＮＢ）、アクセスポイント、基地トランシーバ局、無線基地局、無線トランシーバ、トランシーバ機能、基本サービスセット（ＢＳＳ）、拡張サービスセット（ＥＳＳ）、または、他の何らかの適した専門用語として呼ばれることがある。基地局１０２は、ＵＥ１０４のためにＥＰＣ１６０へのアクセスポイントを提供する。ＵＥ１０４の例は、セルラ電話機、スマートフォン、セッション開始プロトコル（ＳＩＰ）電話機、ラップトップ、パーソナルデジタルアシスタント（ＰＤＡ）、衛星無線、グローバルポジショニングシステム、マルチメディアデバイス、ビデオデバイス、デジタルオーディオプレーヤー（例えば、ＭＰ３プレーヤー）、カメラ、ゲームコンソール、タブレット、スマートデバイス、ウェアラブルデバイス、車両、電気メーター、ガスポンプ、大きなまたは小さな台所用品、ヘルスケアデバイス、インプラント、ディスプレイ、あるいは、他の何らか同様の機能的なデバイスを含んでいる。ＵＥ１０４のうちのいくつかは、（例えば、パーキングメーター、ガスポンプ、トースター、車両、心臓モニタなど）ＩｏＴデバイスと呼ばれることがある。ＵＥ１０４はまた、局、移動局、加入者局、移動体ユニット、加入者ユニット、ワイヤレスユニット、遠隔ユニット、移動体デバイス、ワイヤレスデバイス、ワイヤレス通信デバイス、遠隔デバイス、移動体加入者局、アクセス端末、移動体端末、ワイヤレス端末、遠隔端末、ハンドセット、ユーザエージェント、移動体クライアント、クライアント、または、他の何らかの適切な専門用語として呼ばれることがある。
【００３４】
［００３７］
したがって、上述のように、例えば、ＵＥ１０４が複数の搬送波のためのタイミングおよび周波数の同期を捕捉するためにＧＮＳＳと通信することができない場合、ＵＥ１０４は、集約されている搬送波のグループ内でのタイミング同期のためにＳＬＳＳを使用する自律ＣＡを有する車両１１０対車両１１０通信を可能にするように構成されていてもよい。このような状況では、ＵＥ１０４は、搬送波のグループ内でタイミングを自律的に同期させようとして同期源を発見しようとサーチするために、１つ以上の同期サーチ搬送波（例えば、アンカー同期搬送波）に同調してもよい。
【００３５】
［００３８］
図２は、Ｄ２Ｄ通信に関与する１つ以上のＵＥ１０４を同期させることの概略ダイヤグラム２００である。上述のように、従来のシステムは、一般的に、ＵＥ１０４の代わりに異なるＣＡ搬送波のタイミングを管理するためにネットワーク制御（例えば、基地局１０２によって提供されるタイミング情報）に依存する。しかしながら、ＬＴＥまたは５Ｇ  ＮＲにおけるＶ２Ｘのような、いくつかのワイヤレスシステム通信シナリオでは、ＣＡ搬送波の管理に関してネットワーク制御がないことがあることから、ネットワーク制御への依存は、常に実現可能であるとは限らない。さらに、いくつかの例では、１つ以上のＵＥ１０４（例えば、ＵＥ１０４−ａ）は、図２中に図示するように、基地局１０２のカバレッジエリアの外にあるかもしれない。
【００３６】
［００３９］
本開示の態様は、ＵＥ１０４が、同期搬送波に関係する同期源（例えば、別のＵＥ）によって提供されるタイミングおよび周波数の同期に基づいて、周波数搬送波のセットを通してＵＥ１０４−ａと１つ以上の第２のＵＥ１０４−ｂとの間の通信を確立することを可能にする技術を実現する。この目的のために、いくつかの例では、第１のＵＥ１０４（例えば、ＵＥ１０４−ａ）は、第１のＵＥ１０４−ａと１つ以上の第２のＵＥ１０４−ｂとの間のサイドリンク通信２０５のための１つ以上の周波数搬送波に加えて、同期搬送波のセット（例えば、セットＡ）により構成されていてもよい。
【００３７】
［００４０］
第１のＵＥ１０４のために構成されている同期搬送波のセット（例えば、セットＡ）を識別すると、本開示の態様は、第１のＵＥ１０４がサイドリンク通信２０５のために利用している１つ以上の周波数搬送波をさらに識別してもよい。サイドリンク通信周波数搬送波の識別に基づいて、第１のＵＥ１０４は、第１のＵＥ１０４−ａを同期させるために利用されるかもしれない同期搬送波のサブセット（例えば、セットＢ）を決定してもよい。いったん同期搬送波のサブセットが識別されると、第１のＵＥ１０４−ａは、同期搬送波のサブセット中の各同期搬送波に関係する同期源を決定してもよい。例えば、同期搬送波のサブセット中の第１の同期搬送波は、ネットワークの同期源（例えば、基地局１０２を介して直接同期されている第２のＵＥ１０４−ｂ）を含んでいてもよい一方で、第２の同期搬送波は、ＧＮＳＳに基づいて同期されていてもよい。
【００３８】
［００４１］
周波数搬送波のセットからの周波数搬送波に関係する同期源は、１つ以上のＳＬＳＳ同期源選択技術またはルールにしたがって選択してもよい。したがって、いくつかの例では、第１のＵＥ１０４−ａは、同期源に優先順位を付け（例えば、ＧＮＳＳよりも基地局１０２）、優先度および／または同期選択のための予め構成されているルールに基づいて、同期搬送波のサブセットから同期搬送波を選択してもよい。
【００３９】
［００４２］
したがって、ＵＥ１０４がＶ２Ｘ  ＣＡを自律的に実行することを可能にするために、ここで説明する解決法を利用してもよい。さらに、いくつかの例では、サーチされることになる同期搬送波は、ＵＥのＳＬＳＳ能力（例えば、ＵＥの送信および受信のＳＬＳＳ能力）に基づいて決定してもよい。このようなことから、いくつかの態様では、受信するＵＥ１０４が１つ以上の他のＵＥ１０４との通信のための複数の搬送波の同期を自律的に（例えば、ネットワーク関与なく、または、最小限のネットワーク関与で）管理することを可能にするために、１つ以上の他のＵＥによって送信されるＳＬＳＳ信号は、同期源（例えば、タイミングおよび周波数の同期を提供するかもしれないＵＥ１０４）に関係付けられていてもよい。この目的のために、集約された搬送波内の異なるタイミングの数を最小数に保つために、搬送波は、スペクトル中の連続または分離された搬送波であるかもしれない、搬送波の異なるグループに区分（または分割）してもよい。搬送波の各グループ内で、単一の同期源または基準を使用して、搬送波のグループのタイミングおよび周波数を同期させてもよい。
【００４０】
［００４３］
いくつかの態様では、Ｖ２Ｘ  ＣＡのための同期基準は、ＧＮＳＳ、基地局、または、ネットワーク中の他のＵＥによって送信されるＳＬＳＳ信号に基づいていてもよい。ＵＥ１０４がＧＮＳＳと通信している場合、ＵＥは、ＧＮＳＳから受信したタイミングおよび周波数のコンフィギュレーションに基づいて、ＣＡのためのタイミング同期を優先してもよい。しかしながら、いくつかの事例では、ＵＥ１０４は、（例えば、ＵＥ１０４が地下にあり、ＧＮＳＳへの信号を有さないとき）ＧＮＳＳとの通信を確立することができないかもしれず、ＵＥ１０４は、同期基準に基づいて複数の搬送波のタイミングおよび周波数を管理するために、同期源を識別する必要があるかもしれない。いくつかの例では、同期源は、ＧＮＳＳと直接的にまたは間接的に通信しているネットワーク上の別のＵＥ、または、ＳＬＳＳを受信することと送信することの両方が可能である（が、ＧＮＳＳと同期していない）ＵＥ１０４であってもよい。これらの後者の２つの例のいずれにおいても、ＵＥ１０４は、他のＵＥ１０４の選択された搬送波中のＳＬＳＳ送信を使用して、他のＵＥ１０４によって送信される搬送波のグループ内でタイミングを同期させ、選択された搬送波は、同期源に基づいていてもよい。
【００４１】
［００４４］
同期源の識別は、ＵＥのＳＬＳＳ能力に基づいていてもよい。例えば、ＵＥ１０４がＳＬＳＳ受信（Ｒｘ）または送信（Ｔｘ）が可能である場合、受信と送信の両方のために構成されている搬送波のうちの１つである同期サーチ搬送波に同調して、ＵＥ１０４がグループ中の複数の搬送波のタイミングおよび周波数を管理することを可能にするように、タイミング同期基準信号を提供するかもしれない同期源を識別するように、ＵＥ１０４は構成されていてもよい。代替的に、ＵＥ１０４がＳＬＳＳ  Ｒｘのみが可能である場合、同期サーチ搬送波は、ＵＥ１０４がＳＬＳＳを受信するように構成されている搬送波のうちの１つであってもよい。
【００４２】
［００４５］
いくつかの例では、ＵＥ１０４が、ＳＬＳＳを発見するために複数の搬送波のうちのどれ（例えば、同期サーチ搬送波）をサーチし、同期搬送波として選択すべきかの識別は、以下の技術のうちの１つ以上に基づいていてもよい。
【００４３】
［００４６］
第１に、ＵＥ１０４が１つの搬送波（例えば、アンカー同期搬送波）のみに対して同期源選択を実行することが可能である場合、その搬送波は、ネットワーク上のすべてのＵＥがＳＬＳＳ信号のために同じ搬送波をリスニングしてもよいように、予め構成されているか、または、ネットワーク構成されていてもよい。
【００４４】
［００４７］
第２に、ＵＥ１０４が所定の搬送波を受信するように構成されているかもしれないいくつかの状況では、チューンアウェイギャップおよび検出遅延要件は、アンカー同期搬送波において受信（および送信）するように構成されていないＵＥ１０４が、Ｒｘチェーンをアンカー搬送波に同調させて、ＳＬＳＳ検出を実行し、例えば、チューンアウェイギャップの間に周波数間ＳＬＳＳ選択／再選択手順をサポートして、より高い優先度の同期源を見つけることが可能なように規定されていてもよい。
【００４５】
［００４８］
第３に、ＵＥ１０４は、複数の搬送波中のすべての利用可能な搬送波を通してループして、予め構成されているか、または、ネットワークによって確立されているかのいずれかである同期源選択優先度ルールに基づいて、最高優先度の同期源を識別してもよい。いったんある搬送波において同期源が選択されると、ＵＥは、その搬送波内のより高い優先度の同期源を再選択し続けてもよい。同期源が失われ、利用可能なフォールバック同期源が存在しないときにのみ、ＵＥは、すべての利用可能な搬送波を通して再びループする。
【００４６】
［００４９］
上記で識別されている第３のオプションに関して、同期源搬送波のための優先度は、確立されている優先順序で、利用可能な搬送波を通してＵＥ１０４がループしてもよいように設定されていてもよい。このようなことから、適切な同期源がより高い優先度を有する搬送波中で発見される場合、ＵＥは、より低い優先度の搬送波を通してループする必要がないかもしれず、ＵＥがより低い優先度の搬送波を通してループしなければならないことを防ぎ、利用可能なリソースを節約できる。
【００４７】
［００５０］
図３は、本開示のさまざまな態様にしたがう、ここで説明する１つ以上の方法（例えば、方法４００）を実現するためのＵＥ１０４のハードウェアコンポーネントおよびサブコンポーネントを説明する。例えば、ＵＥ１０４の実現形態の１つの例は、さまざまなコンポーネントを含んでいてもよく、これらのうちのいくつかは既に上記で説明してきたが、１つ以上のバスを介して通信する１つ以上のプロセッサ３３６およびメモリ３３４およびトランシーバ３１４のようなコンポーネントを含み、これらは、周波数搬送波のセットまたはグループのうちの選択された１つに関係する同期源に基づいて、周波数搬送波のセットまたはグループのタイミングおよび周波数の同期を実行する移動体通信管理コンポーネント３４０とともに動作してもよい。
【００４８】
［００５１］
いくつかの例では、移動体通信管理コンポーネント３４０は、複数の搬送波の複数の搬送波グループへの区分を識別する搬送波グループ化コンポーネント３４２を含んでいてもよく、同期源は、複数の搬送波グループのうちの１つ以上に対するタイミングおよび周波数の基準を提供してもよい。移動体通信管理コンポーネント３４０は、ＳＬＳＳを受信および／または送信するためのＵＥ１０４の能力を決定するＵＥ  ＳＬＳＳ能力コンポーネント３４４をさらに含んでいてもよい。基準のための同期源を識別して選択するために、ＵＥ  ＳＬＳＳ能力を利用して、ＵＥ１０４が同調するかもしれない同期サーチ搬送波を識別してもよい。例えば、第１のＵＥが複数の搬送波のうちの第１のおよび第２の搬送波上でＳＬＳＳを受信し、第２の搬送波上でＳＬＳＳを送信することを、第１のＵＥのサイドリンク同期能力が可能にする場合、このような状況では、第２の搬送波が共通であることから、ＵＥは、同期サーチ搬送波として第２の搬送波に第１のＵＥを同調させてもよい。代替的に、第１のＵＥが複数の搬送波からの第１の搬送波上でＳＬＳＳを受信する（そしてＳＬＳＳを送信しない）ことを、第１のＵＥのサイドリンク同期能力が可能にする場合、第１のＵＥは、同期サーチ搬送波として第１の搬送波を設定してもよい。移動体通信管理コンポーネント３４０はまた、同期源選択手順によって規定されている優先度に基づいて、ネットワーク上の複数のＵＥ１０４から同期源を識別する同期源識別コンポーネント３４６を含んでいてもよい。例えば、同期源は、ＧＮＳＳ、ＧＮＳＳとの直接通信／同期を有する第２のＵＥ、ＧＮＳＳとの間接通信／間接同期を有する第２のＵＥ（例えば、ＧＮＳＳと通信しているＵＥから信号を受信するＵＥ）、最後に、ＧＮＳＳ同期なくそれ自体で送信する第２のＵＥ、のような優先順位を有していてもよいが、これらに限定されない。
【００４９】
［００５２］
１つ以上のプロセッサ３３６、モデム３３８、メモリ３３４、トランシーバ３１４、ＲＦフロントエンド３２０、および、１つ以上のアンテナ３３２は、１つ以上の無線アクセステクノロジーにおいて音声および／またはデータ呼を（同時にまたは非同時に）サポートするように構成されていてもよい。１つの態様では、１つ以上のプロセッサ３３６は、１つ以上のモデムプロセッサを使用するモデム３３８を含むことができる。移動体通信管理コンポーネント３４０に関連するさまざまな機能は、モデム３３８および／またはプロセッサ３３６に含まれていてもよく、１つの態様では、単一のプロセッサによって実行してもよいが、他の態様では、機能のうちの異なるものは、２つ以上の異なるプロセッサの組み合わせによって実行してもよい。例えば、１つの態様では、１つ以上のプロセッサ３３６は、モデムプロセッサ、または、ベースバンドプロセッサ、または、デジタル信号プロセッサ、または、送信プロセッサ、または、受信機プロセッサ、または、トランシーバ３１４に関係するトランシーバプロセッサ、のいずれか１つまたは任意の組み合わせを含んでいてもよい。他の態様では、移動体通信管理コンポーネント３４０に関係する１つ以上のプロセッサ３３６および／またはモデム３３８の特徴のうちのいくつかは、トランシーバ３１４によって実行してもよい。
【００５０】
［００５３］
また、メモリ３３４は、ここで使用されるデータ、ならびに／あるいは、アプリケーションのローカルバージョンまたは少なくとも１つのプロセッサ３３６によって実行される移動体通信管理コンポーネント３４０および／またはそのサブコンポーネントのうちの１つ以上、を記憶するように構成されていてもよい。メモリ３３４は、ランダムアクセスメモリ（ＲＡＭ）、リードオンリーメモリ（ＲＯＭ）、テープ、磁気ディスク、光ディスク、揮発性メモリ、不揮発性メモリ、および、これらの任意の組み合わせような、コンピュータまたは少なくとも１つのプロセッサ３３６によって使用可能な任意のタイプのコンピュータ読取可能媒体を含むことができる。１つの態様では、例えば、メモリ３３４は、ＵＥ１０４が移動体通信管理コンポーネント３４０および／またはそのサブコンポーネントのうちの１つ以上を実行するために少なくとも１つのプロセッサ３３６を動作させるとき、移動体通信マネージャコンポーネント３４０および／またはそのサブコンポーネントのうちの１つ以上を規定する１つ以上のコンピュータ実行可能コードを、ならびに／あるいは、それに関係するデータを記憶する非一時的コンピュータ読取可能記憶媒体であってもよい。
【００５１】
［００５４］
トランシーバ３１４は、少なくとも１つの受信機３１８と少なくとも１つの送信機３１６とを含んでいてもよい。受信機３１８は、ハードウェア、ファームウェア、および／または、データを受信するためにプロセッサによって実行可能なソフトウェアコードを含んでいてもよく、コードは、命令を備え、メモリ（例えば、コンピュータ読取可能媒体）に記憶される。受信機３１８は、例えば、無線周波数（ＲＦ）受信機であってもよい。１つの態様では、受信機３１８は、少なくとも１つのＵＥ１０４によって送信される信号を受信してもよい。さらに、受信機３１８は、このような受信した信号を処理してもよく、また、Ｅｃ／Ｉｏ、ＳＮＲ、ＲＳＲＰ、ＲＳＳＩなどに限定されないが、これらのような、信号の測定値を取得してもよい。送信機３１６は、ハードウェア、ファームウェア、および／または、データを送信するためにプロセッサによって実行可能なソフトウェアコードを含んでいてもよく、コードは、命令を備え、メモリ（例えば、コンピュータ読取可能媒体）に記憶される。
【００５２】
［００５５］
さらに、１つの態様では、ＵＥ１０４は、ＲＦフロントエンド３２０を含んでいてもよく、ＲＦフロントエンド３２０は、無線送信を、例えば、少なくとも１つの基地局１０２によって送信されるワイヤレス通信を、または、ＵＥ１０４によって送信されるワイヤレス送信を、受信および送信する１つ以上のアンテナ３３２およびトランシーバ３１４と通信するように動作してもよい。ＲＦフロントエンド２２０は、１つ以上のアンテナ３３２に接続されていてもよく、ＲＦ信号を送信および受信するために、１つ以上の低雑音増幅器（ＬＮＡ）３２９、１つ以上のスイッチ３２４、１つ以上の電力増幅器（ＰＡ）３２８、および、１つ以上のフィルタ３３０を含むことができる。
【００５３】
［００５６］
１つの態様では、ＬＮＡ３２６は、所望の出力レベルで、受信した信号を増幅することができる。１つの態様では、各ＬＮＡ３２６は、特定された最小および最大利得値を有してもよい。１つの態様では、ＲＦフロントエンド３２０は、特定の用途のための所望の利得値に基づいて、１つ以上のスイッチ３２２を使用して、特定のＬＮＡ３２６およびその特定された利得値を選択してもよい。
【００５４】
［００５７］
さらに、例えば、ＲＦフロントエンド３２０によって１つ以上のＰＡ３２８を使用して、所望の出力電力レベルにおけるＲＦ出力のために信号を増幅してもよい。１つの態様では、各ＰＡ３２８は、特定された最小および最大利得値を有していてもよい。１つの態様では、ＲＦフロントエンド３２０は、特定の用途のための所望の利得値に基づいて、１つ以上のスイッチ３２４を使用して、特定のＰＡ３２８およびその特定された利得値を選択してもよい。
【００５５】
［００５８］
また、例えば、ＲＦフロントエンド３２０によって１つ以上のフィルタ３３０を使用して、受信した信号をフィルタリングして、入力ＲＦ信号を取得することができる。同様に、１つの態様では、例えば、それぞれのフィルタ３３０を使用して、それぞれのＰＡ３９８からの出力をフィルタリングして、送信のための出力信号を生成させることができる。１つの態様では、各フィルタ３３０は、特定のＬＮＡ３２６および／またはＰＡ３２８に接続することができる。１つの態様では、ＲＦフロントエンド３２０は、トランシーバ３１４および／またはプロセッサ３３６によって特定されるコンフィギュレーションに基づいて、１つ以上のスイッチ３２２を使用して、特定されたフィルタ３３０、ＬＮＡ３２６、および／または、ＰＡ３２８を使用する送信パスまたは受信パスを選択することができる。
【００５６】
［００５９］
このように、トランシーバ３１４は、ＲＦフロントエンド３２０を介して、１つ以上のアンテナ３３２を通して、ワイヤレス信号を送信および受信するように構成されていてもよい。１つの態様では、送信デバイスが、例えば、１つ以上の基地局１０２と、または、１つ以上の基地局１０２に関係する１つ以上のセルと通信することができるように、トランシーバは、特定された周波数で動作するように同調されてもよい。１つの態様では、例えば、モデム３３８は、送信デバイスのコンフィギュレーションとモデム３３８によって使用される通信プロトコルとに基づいて、特定された周波数および電力レベルで動作するようにトランシーバ３１４を構成することができる。
【００５７】
［００６０］
１つの態様では、モデム３３８はマルチバンド−マルチモードモデムとすることができ、マルチバンド−マルチモードモデムは、デジタルデータがトランシーバ３１４を使用して送信され、受信されるように、デジタルデータを処理して、トランシーバ３１４と通信することができる。１つの態様では、モデム３３８はマルチバンドとすることができ、特定の通信プロトコルのための複数の周波数帯域をサポートするように構成することができる。１つの態様では、モデム３３８はマルチモードとすることができ、複数の動作ネットワークおよび通信プロトコルをサポートするように構成することができる。１つの態様では、モデム３３８は、特定されたモデムコンフィギュレーションに基づいて、送信デバイスの１つ以上のコンポーネント（例えば、ＲＦフロントエンド３２０、トランシーバ３１４）を制御して、ネットワークからの信号の送信および／または受信を可能にすることができる。１つの態様では、モデムコンフィギュレーションは、モデムのモードと使用中の周波数帯域とに基づくことがある。別の態様では、モデムコンフィギュレーションは、セル選択および／またはセル再選択の間にネットワークによって提供されるような、ＵＥコンフィギュレーション情報に基づくことがある。
【００５８】
［００６１］
図４は、本開示の態様にしたがう、複数の搬送波のために、タイミングおよび周波数を同期させることをサポートするフローチャート４００を示している。いくつかの例では、ＵＥは、デバイスの機能的要素を制御して、説明した機能を実行するためのコードのセットを実行してもよい。追加的にまたは代替的に、システムまたは装置は、特殊目的ハードウェアを使用して、以下で説明する機能の態様を実行してもよい。
【００５９】
［００６２］
ブロック４０５において、方法は、第１のＵＥのために構成されている同期搬送波のセット（例えば、セットＡ）を識別することを含んでいてもよい。ブロック４０５の態様は、図３を参照して説明した移動体通信管理コンポーネント３４０によって実行してもよい。
【００６０】
［００６３］
ブロック４１０において、方法は、第１のＵＥにおいて、１つ以上の第２のＵＥとの通信を確立するのに使用される１つ以上の周波数搬送波を識別することを含んでいてもよい。いくつかの例では、周波数搬送波のセットは、複数の搬送波グループに区分されていてもよい。ある例では、説明する動作の態様は、移動体通信管理コンポーネント３４０、より具体的には、図２を参照して説明した搬送波グループ化コンポーネント２４２によって実行してもよい。
【００６１】
［００６４］
ブロック４１５において、方法は、第１のＵＥと１つ以上の第２のＵＥとの間の通信を確立するのに使用される１つ以上の周波数搬送波の識別に基づいて、同期搬送波のセットから同期搬送波のサブセットを決定することを含んでいてもよい。いくつかの例では、方法は、第１のＵＥのサイドリンク能力を決定することを含んでいてもよい。いくつかの態様では、方法は、第１のＵＥが周波数搬送波の複数の利用可能なセットからの同期搬送波上でＳＬＳＳを受信することのみ（例えば、ＳＬＳＳを送信する能力がない）を、第１のＵＥのサイドリンク同期能力が可能にすることを決定することを含んでいてもよい。このような状況では、第１のＵＥは、ＵＥがＳＬＳＳを受信するように構成されている同期サーチ搬送波にＲｘチェーンを同調させてもよい。追加的にまたは代替的に、方法は、第１のＵＥが複数の搬送波のうちの第１および第２の搬送波上でＳＬＳＳを受信し、第２の搬送波上でＳＬＳＳを送信することを、第１のＵＥのサイドリンク同期能力が可能にすることを決定することを含んでいてもよい。このような状況では、方法は、第１のＵＥを同期サーチ搬送波に同調させることを含んでいてもよく、第２の搬送波が同期サーチ搬送波として設定される。ある例では、説明した動作の態様を、図２を参照して説明したような、ＵＥ  ＳＬＳＳ能力コンポーネントによって実行してもよい。ブロック４１５の態様は、図３を参照して説明した移動体通信管理コンポーネント３４０によって実行してもよい。
【００６２】
［００６５］
ブロック４２０において、方法は、同期搬送波のサブセット中の各同期搬送波に関係する同期源を決定することを含んでいてもよい。いくつかの例では、同期搬送波は、１つ以上の第２のＵＥとの通信を確立するのに使用される周波数搬送波のセット内の周波数搬送波のうちの１つであってもよい。同期源は、複数の搬送波グループのうちの１つ以上に対して、タイミングおよび周波数の基準を提供してもよい。
【００６３】
［００６６］
いくつかの例では、同期源選択手順にしたがって同期搬送波に関係する同期源を決定することは、ＧＮＳＳ、基地局、または、第２の搬送波上でＳＬＳＳを送信する第２のＵＥ、のうちの１つとして、同期源を識別することを含んでいてもよい。方法は、同期搬送波に対する優先度およびコンフィギュレーションの予め定められているルールに基づいて、同期源を選択することを含んでいてもよい。
【００６４】
［００６７］
いくつかの態様では、方法は、周波数搬送波のセット内の各周波数搬送波に関係する優先度を識別し、同期搬送波が、通信搬送波のセット内の最高優先度の搬送波であることを決定してもよい。したがって、同期源が同期搬送波に対するコンフィギュレーションに基づいていることを方法は決定してもよい。周波数搬送波のセット内の各周波数搬送波に関係する優先度は、ＲＲＣ（事前）コンフィギュレーションを使用して、ＵＥ中で構成されていてもよい。例えば、搬送波上でネットワーク配備がある場合、基地局は、最高優先度としてｅＮＢを使用すべきか、または、最高優先度としてＧＮＳＳを使用すべきかを示してもよい。
【００６５】
［００６８］
いくつかの態様では、方法は、同期搬送波の同期源の優先度を識別することと、異なる周波数搬送波上でより高い優先度の同期源を周期的にサーチすることとをさらに含んでいてもよい。異なる周波数搬送波は、周波数搬送波のセット内にあってもよい。このようなシナリオでは、方法は、新しい同期搬送波として異なる周波数搬送波を選択することによって、より高い優先度の同期源を再選択してもよい。ＵＥはまた、周波数搬送波のセット内の周波数搬送波のそれぞれの最高優先度の同期源を決定し、最高優先度の同期源を有する周波数搬送波として同期搬送波を選択してもよい。ある例では、説明した動作の態様は、図３を参照して説明したような、同期源識別コンポーネント３４６によって実行してもよい。
【００６６】
［００６９］
したがって、いくつかの例では、同期搬送波は、最高優先度の搬送波に基づいていてもよい。いくつかの態様では、ＧＮＳＳ、基地局、または、ＳＬＳＳを送信する第２のＵＥのいずれかが、最高優先度の同期源であってもよい。さらに、事前コンフィギュレーションに基づいて、ＳＬＳＳを送信するＵＥの優先度をさらに決定してもよい。例えば、単一搬送波のケースに対しては、同期源の優先度を確立する優先順位付けが予め構成される。
【００６７】
［００７０］
ブロック４２５において、方法は、同期搬送波のサブセット中の各同期搬送波に対する最高優先度の同期源を決定することと、最高優先度の同期源を有する周波数搬送波として、同期搬送波を選択することとをオプション的に含んでいてもよい。ブロック４２５の態様は、同期源識別コンポーネント３４６によって実行してもよい。
【００６８】
［００７１］
ブロック４３０において、方法は、同期源により提供されるタイミングおよび周波数の同期に基づいて、周波数搬送波のセットを通しての第１のＵＥと１つ以上の第２のＵＥとの間の通信を確立することを含んでいてもよい。いくつかの例では、説明した動作の態様は、図３を参照して説明したように、トランシーバ２１４とともに移動体通信管理コンポーネント３４０によって実行してもよい。
【００６９】
［００７２］
添付の図面に関して上記で述べた上記の詳細な説明は、例を説明しており、実現されてもよいまたは特許請求の範囲内にある例のみを表すものではない。用語「例」は、この説明において使用されるとき、「例、事例、または、実例として機能する」ことを意味し、他の例よりも「好ましい」または「有利である」ことを意味していない。詳細な説明は、説明した技術の理解を提供する目的で、特定の詳細を含んでいる。しかしながら、これらの技術は、これらの特定の詳細なく実施してもよい。いくつかの事例では、周知の構造および装置は、説明した例の概念を暖味にすることを回避するために、ブロックダイヤグラムの形態で示されている。
【００７０】
［００７３］
さまざまな異なるテクノロジーと技術のうちのいずれかを使用して、情報と信号を表しているかもしれない。例えば、上記の説明全体に渡って参照できる、データ、命令、コマンド、情報、信号、ビット、シンボル、および、チップは、電圧、電流、電磁波、磁界または磁粒、光界または光粒、コンピュータ読取可能媒体上に記憶されているコンピュータ実行可能コードまたは命令、あるいは、これらの任意の組み合わせにより表されているかもしれない。
【００７１】
［００７４］
ここでの開示に関連して説明したさまざまな例示的なブロックおよびコンポーネントは、プロセッサ、デジタル信号プロセッサ（ＤＳＰ）、ＡＳＩＣ、ＦＰＧＡまたは他のプログラマブル論理デバイス、ディスクリートゲートまたはトランジス論理、ディスクリードハードウェアコンポーネント、あるいは、ここで説明した機能を実行するように設計されている任意の組み合わせに限定されないが、これらのような特別にプログラムされているデバイスを用いて実現または実行してもよい。特別にプログラムされているプロセッサはマイクロプロセッサであってもよいが、代替実施形態では、プロセッサは、任意の従来のプロセッサ、制御装置、マイクロ制御装置、または、状態機械であってもよい。特別にプログラムされているプロセッサはまた、コンピューティングデバイスの組み合わせ、例えば、ＤＳＰとマイクロプロセッサの組み合わせ、複数のマイクロプロセッサ、ＤＳＰコアと関連する１つ以上のマイクロプロセッサ、または、他の何らかのこのようなコンフィギュレーションとして実現してもよい。
【００７２】
［００７５］
ここで説明した技術は、ＣＤＭＡ、ＴＤＭＡ、ＦＤＭＡ、ＯＦＤＭＡ、ＳＣ−ＦＤＭＡ、および、他のシステムのような、さまざまなワイヤレス通信ネットワークに対して使用してもよいことに留意すべきである。用語「システム」および「ネットワーク」は、交換可能に使用されることが多い。ＣＤＭＡシステムは、ＣＤＭＡ２０００、ユニバーサル地上無線アクセス（ＵＴＲＡ）などのような無線テクノロジーを実現してもよい。ＣＤＭＡ２０００は、ＩＳ−２０００、ＩＳ−９５、および、ＩＳ−８５６標準規格をカバーする。ＩＳ−２０００リリース０およびＡは一般的に、ＣＤＭＡ２０００  １Ｘ、１Ｘなどと呼ばれる。ＩＳ−８５６（ＴＩＡ−８５６）は一般的に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他のバリエーションを含んでいる。ＴＤＭＡシステムは、移動体通信のためのグローバルシステム（ＧＳＭ（登録商標））のような無線テクノロジーを実現してもよい。ＯＦＤＭＡシステムは、ウルトラ移動体ブロードバンド（ＵＭＢ）、進化型ＵＴＲＡ（Ｅ−ＵＴＲＡ）、ＩＥＥＥ８０２．１１（Ｗｉ−Ｆｉ）、ＩＥＥＥ８０２．１６（ＷｉＭａｘ）、ＩＥＥＥ８０２．２０、Ｆｌａｓｈ−ＯＦＤＭ（登録商標）などのような無線テクノロジーを実現してもよい。ＵＴＲＡおよびＥ−ＵＴＲＡは、ユニバーサル移動体電気通信システム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、および、ＧＳＭは、「第３世代パートナーシッププロジェクト」（３ＧＰＰ）という名の組織からの文書中で説明されている。ＣＤＭＡ２０００およびＵＭＢは、「第３世代パートナーシッププロジェクト２」（３ＧＰＰ２）という名の組織からの文書中で説明されている。ここで説明した技術は、上記で言及したシステムおよび無線テクノロジーとともに、共有無線周波数スペクトル帯域に渡るセルラ（例えば、ＬＴＥ）通信を含む、他のシステムおよび無線テクノロジーに対して使用してもよい。しかしながら、以下の説明は、例の目的でＬＴＥ／ＬＴＥ−Ａシステムを説明しており、ＬＴＥ専門用語が以下の説明のほとんどで使用されているが、技術はＬＴＥ／ＬＴＥ−Ａアプリケーションを超えて（例えば、５Ｇネットワークまたは他の次世代通信システムに）適用可能である。
【００７３】
［００７６］
ここで説明した機能は、ハードウェア、プロセッサによって実行されるソフトウェア、ファームウェア、または、これらの任意の組み合わせで実現してもよい。プロセッサによって実行されるソフトウェアで実現する場合、機能は、非一時的コンピュータ読取可能媒体上の１つ以上の命令またはコードとして記憶され、あるいは、それを通して送信されてもよい。他の例およびインプリメンテーションは、本開示および添付の特許請求の精神および範囲内にある。例えば、ソフトウェアの性質により、上記で説明した機能は、特別にプログラムされているプロセッサによって実行されるソフトウェア、ハードウェア、ファームウェア、ハードワイヤリング、または、これらの任意の組み合わせを使用して実現できる。機能を実行する特徴はまた、機能の部分が異なる物理的なロケーションで実現されるように、分散されることを含む、さまざまなポジションに物理的に位置付けられる。また、請求項を含むここで使用される場合、「のうちの少なくとも１つ」で始まるようなアイテムのリストにおいて使用されるような「または」は、例えば「Ａ、Ｂ、または、Ｃのうちの少なくとも１つ」のリストが、ＡまたはＢまたはＣまたはＡＢまたはＡＣまたはＢＣまたはＡＢＣ（すなわち、ＡおよびＢおよびＣ）を意味するような選言的リストを示している。
【００７４】
［００７７］
コンピュータ読取可能媒体は、１つの場所から別の場所へのコンピュータプログラムの転送を促進する任意の媒体を含む、コンピュータ記憶媒体および通信媒体の両方を含んでいる。記憶媒体は、汎用または特殊目的コンピュータによってアクセスできる任意の利用可能な媒体であってもよい。限定ではなく例として、コンピュータ読取可能媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、命令またはデータ構造の形態で所望のプログラムコード手段を搬送または記憶するために使用でき、汎用または特殊目的コンピュータ、あるいは、汎用または特殊目的プロセッサによってアクセスできる他の何らかの媒体を含むことができる。また、任意の接続は、コンピュータ読取可能媒体と適切に呼ばれる。例えば、同軸ケーブル、光ファイバケーブル、ツイストペア、デジタル加入者回線（ＤＳＬ）、または、赤外線、無線、および、マイクロ波のようなワイヤレステクノロジーを使用して、ウェブサイト、サーバ、または、他の遠隔ソースからソフトウェアが送信される場合、同軸ケーブル、光ファイバケーブル、ツイストペア、ＤＳＬ、または、赤外線、無線、および、マイクロ波のようなワイヤレステクノロジーが媒体の定義に含まれる。ここで使用したようなディスク（ｄｉｓｋおよびｄｉｓｃ）は、コンパクトディスク（ＣＤ）、レーザーディスク（登録商標）、光ディスク、デジタル汎用ディスク（ＤＶＤ）、フロッピー（登録商標）ディスク、および、ブルーレイ（登録商標）ディスクを含むが、通常、ディスク（ｄｉｓｋ）はデータを磁気的に再生する一方で、ディスク（ｄｉｓｃ）はデータをレーザにより光学的に再生する。上記の組み合わせもまた、コンピュータ読取可能媒体の範囲内に含まれる。
【００７５】
［００７８］
本開示の先の説明は、当業者が本開示を製造または使用することを可能にするために提供されている。本開示へのさまざまな修正は、当業者に容易に明らかとなり、ここで規定される共通の原理を、本開示の精神または範囲から逸脱することなく他のバリエーションに適用してもよい。さらに、説明した態様および／または実施形態の要素を単数で説明または主張したかもしれないが、単数への限定が明示的に述べられていない限り、複数が企図されている。加えて、任意の態様および／または実施形態のすべてあるいは一部分は、特に指示のない限り、他の何らかの態様および／または実施形態のすべてあるいは一部分により利用してもよい。したがって、本開示は、ここで説明した例および設計に限定されず、ここで開示した原理および新規の特徴と一致する最も広い範囲が与えられるべきである。
【図１】
2021503804.tif 000003
【図２】
2021503804.tif 000004
【図３】
2021503804.tif 000005
【図４】
2021503804.tif 000006
【国際調査報告】
2021503804.tif 000007
2021503804.tif 000008
2021503804.tif 000009
2021503804.tif 000010